(57)【要約】【課題】指が挟まれて怪我をすることがなくなり、操作時の安全性をより高めることができる折畳式ベッドを提供すること。【解決手段】角度のある角塊を設け、該角塊の底部側中央に結合部を形成し、且つ該結合部の両側に円形枢着ヘッド付き棒体を枢着するための枢着部をそれぞれ形成し、棒体を枢着部で回動する時に手を挟む隙間を発生しないように、該棒体の円形枢着ヘッド全体を角塊の枢着部に完全に収容した。【選択図】図２
0003125693.tif 000002
【実用新案登録請求の範囲】
【請求項１】
折畳式ベッドにおいて、
主に、角度のある角塊を設け、
該角塊の底部側中央に結合部を形成し、且つ該結合部の両側に円形枢着ヘッド付き棒体を枢着するための枢着部をそれぞれ形成し、
棒体を枢着部で回動する時に手を挟む隙間を発生しないように、該棒体の円形枢着ヘッド全体を角塊の枢着部に完全に収容したことを特徴とする、
折畳式ベッド。
【請求項２】
複数の角塊を具備した折畳式ベッドフレームは、そのベッドフレームの周り及び底面に柔軟な布材が結合され、且つ床板が設けられるとともに、該布材の中央位置の対向側にシート及び複数の結合部がそれぞれ配置され、該二つのシートの周縁に結合部を設けたことを特徴とする、請求項１に記載の折畳式ベッド。
【請求項３】
該シートは布材より作製され、該二つのシートの対向の長辺には、結合用のジッパが設けられ、該ジッパの内側には、複数の接着テープが設けられたことを特徴とする、請求項２に記載の折畳式ベッド。
【請求項４】
該ベッドフレームの両対向側にはシートのような布材が結合され、その底縁の対向側には、複数の対応の接着テープが設けられたことを特徴とする、請求項１または３に記載の折畳式ベッド。
【考案の詳細な説明】
【技術分野】
【０００１】
本考案は、安全性がより高い折畳式ベッドに係り、ベビー用折畳式ベッド、又は類似の構造体に適合可能な折畳式ベッドに関するものである。
【背景技術】
【０００２】
生まれたばかりのベビーは、行動力及び自己保護能力が全くない。そのため、家庭に新しい生命が誕生する際に、ベビーを保護するためのベビーベッドが欠かせない用品である。
ベビーベッドはベビーを保護できるが、ベッド本体が非常に広いスペースを必要とするため、従来の木製で、且つ折畳できない固定式のベビーベッドに代えて、不使用時に折り畳みできて、省スペース化を図った折畳式ベッドに変更されるようになった。
【考案の開示】
【考案が解決しようとする課題】
【０００３】
図７に示すように、現在、市販されている折畳式のベビーベッドは、主に、複数の棒体Ｃと複数の角座Ｂと複数の関節Ｄとにより折畳可能なベッド本体Ａを構成している。
前記ベッド本体Ａの上部には四つの角座Ｂを備えている。角座Ｂはそれぞれ二本の棒体Ｃに枢着する。二つの角座Ｂの間には関節Ｄ及び二つの棒体Ｃにより枢着している。
これにより、二本の棒体Ｃが関節Ｄを介して回転でき、ベッド本体Ａを折り畳んで収納することができる。
前記したようにベッド本体Ａが折り畳み式の従来のベビーベッドは、広いスペースを必要とする欠点を改善できるが、該棒体Ｃが結合部材のみを介して角座Ｂに枢着され、関節Ｄが作動して棒体Ｃを回転すると、該棒体Ｃと角座Ｂとの間に隙間が発生し、この隙間に操作者の指が挟まれて怪我をするので好ましくない。
【０００４】
本考案は以上の点に鑑みて成されたもので、本考案の主な目的は、指が挟まれて怪我をすることがなくなり、操作時の安全性をより高めることができる折畳式ベッドを提供することにある。
【課題を解決するための手段】
【０００５】
前記した目的を達成するために、本考案は、主に、角度のある角塊を設け、該角塊の底部側中央には結合部が設置され、該結合部の両側に、円形枢着ヘッド付き棒体を枢着するための枢着部がそれぞれ設けられ、該円形枢着ヘッドが枢着部全体をフル充填させ、よって、棒体が枢着部内に回動する時に手を挟む隙間を発生しないようにし、安全性がさらに向上される。
すなわち、本願の第１考案は、折畳式ベッドであって、主に、角度のある角塊を設け、該角塊の底部側中央に結合部を形成し、且つ該結合部の両側に円形枢着ヘッド付き棒体を枢着するための枢着部をそれぞれ形成し、棒体を枢着部で回動する時に手を挟む隙間を発生しないように、該棒体の円形枢着ヘッド全体を角塊の枢着部に完全に収容したことを特徴とする、折畳式ベッドを提供する。
本願の第２考案は、複数の角塊を具備した折畳式ベッドフレームは、そのベッドフレームの周り及び底面に柔軟な布材が結合され、且つ床板が設けられるとともに、該布材の中央位置の対向側にシート及び複数の結合部がそれぞれ配置され、該二つのシートの周縁に結合部を設けたことを特徴とする、第１考案に記載の折畳式ベッドを提供する。
本願の第３考案は、該シートは布材より作製され、該二つのシートの対向の長辺には、結合用のジッパが設けられ、該ジッパの内側には、複数の接着テープが設けられたことを特徴とする、第２考案に記載の折畳式ベッドを提供する。
本願の第４考案は、該ベッドフレームの両対向側にはシートのような布材が結合され、その底縁の対向側には、複数の対応の接着テープが設けられたことを特徴とする、第１または第３考案に記載の折畳式ベッドを提供する。
【考案の効果】
【０００６】
本考案は以下のような利点がある。
１、本考案に係る折畳式ベッドにより、ベッドを折畳する際、指が挟まれる隙間が発生されなく、安全性を効率よく向上できる。
２、簡単な構造により、ベビーベッドの奥深く置いたベース層を深さの浅い第２ベース層までに効率よく上昇させ、ベビーを入れる又は出し易くなる。
【考案を実施するための最良の形態】
【０００７】
以降に図面を参照しながら本考案の特徴及び具体的な実施例について説明する。
図１、図２を参照して説明する。本考案の角塊１０は、主に角度のある塊体であり、該角塊１０の角部の底縁に結合部１１が設けられる。該角塊１０の両側には内向きに枢着部１２、１３がそれぞれ設けられるとともに、該両枢着部１２、１３に軸孔１２１、１３１が設けられる。
【０００８】
二本の棒体２０は、その一端を角塊１０の枢着部１２、１３に合せて円形枢着ヘッド２１を設け、且つ、円形枢着ヘッド２１に軸孔が設けられる。棒体２０の他端は結合孔を有する結合部２２として形成されている。
【０００９】
組み立てる時には、二本の棒体２０の円形枢着ヘッド２１を角塊１０の二つの枢着部１２、１３内に挿入するとともに、二つの枢着部材２５で軸孔１２１、１３１及び二つの円形枢着ヘッド２１上の軸孔にそれぞれピンを通して、二本の棒体２０と角塊１０を一体に枢着する。
【００１０】
該棒体２０の円形枢着ヘッド２１が角塊１０の二つの枢着部１２、１３に合せて設けられるため、棒体２０と枢着部１２、１３とを枢着する時に、円形枢着ヘッド２１の全体を枢着部１２、１３内に隙間なく収容させる。
【００１１】
図３に示すように、棒体２０が回転する時に、該円形枢着ヘッド２１と枢着部１２、１３との間に手を挟むような隙間が発生しないようにする。
【００１２】
図４、図５を参照して説明する。本考案の角塊１０を使用した折畳式ベッドフレームは、そのベッドフレームの周り及び底面に柔軟な布材３０が結合され、且つ、該ベッドフレームには折り畳み式でかつ比較的に硬い可動床板３１が設けられるとともに、該ベッドフレームの長辺の両対向側の布材３０の中央位置にシート３２、３３がそれぞれ結合される。
また、該二長辺の底部には複数の接着テープ３０１が設けられ、該ベッドフレームの短辺の両対向側の布材３０の中央位置に複数の結合部３０２が設けられる。
また、該二つのシート３２、３３の二短辺の結合部３０２に合せる位置には、対応する結合部３２１、３３１が設けられ、且つ、二つのシート３２、３３の対向の長辺には、結合用のジッパ３２２、３３２が設けられる。
該ジッパ３２２、３３２の内側には、接着テープ３０１が設けられた対向位置において、対応する接着テープ３２３、３３３が同様に設けられる。
【００１３】
出産したばかりのベビーや座ること尚できない幼児が使用すると、先ず、二つのシート３２、３３の長辺のジッパ３２２、３３２を継ぎ合せて閉めるとともに、二つのシート３２、３３の二短辺の結合部３２１、３３１とベビーベッドの二短辺の布材３０の結合部３０２を係合し、ベビーベッドの中央位置に第２ベース層を形成させる。
さらに、図５に示すように、可動床板３１を第２ベース層上に置くと床板３１の位置が高くなり（元々奥深く置いたベース層から深さの浅い第２ベース層になり）、ベビーの出し入れがし易くなる。
【００１４】
ベビーが徐々に成長すると、第２ベース層の高さが、行き着き滑りや座れるようになる子供にとって、危険にさらされしまう。
このときは図６に示すように、可動床板３１を取り外した後、第２ベース層の両側の結合部３２１、３３１と布材３０の結合部３０２を分離させる。
さらに、第２ベース層の中央のジッパ３２２、３３２を開き、第２ベース層を二つのシート３２、３３に分離させる。
該二つのシート３２、３３が、さらに、複数の対応の接着テープ３２３、３３３により布材３０の底部の接着テープ３０１と接着し、該二つのシート３２、３３をベビーベッドの両側の布材３０上に貼付させる。
さらに、可動床板３１をベビーベッド内に入れてベビーベッドの深さをより深くすることで、行き着き滑りや座れるようになる子供を収容した後も、ベビーベッドの安全な遊び空間となる。
【００１５】
以上の記載は、単に本考案の好ましい実施例の記載に過ぎなく、本考案の特徴を限定するものではなく、当業者が実施したり置換可能な事項については本考案の請求の範囲に含まれるものである。
【図面の簡単な説明】
【００１６】
【図１】本考案による実施例の斜視外観図である。
【図２】本考案による実施例の部品分解図である。
【図３】本考案による実施例の動作を示す図である。
【図４】本考案による折畳式ベッドの部品分解図である。
【図５】図４の使用状態を示す側面図である。
【図６】図４の他の使用状態を示す側面図である。
【図７】従来の実施例の折畳式ベッドの斜視外観図である。
【符号の説明】
【００１７】
１０・・・・・・角塊
１１・・・・・・結合部
１２、１３・・・枢着部
１２１、１３１・・軸孔
２０・・・・・・棒体
２１・・・・・・円形枢着ヘッド
２２・・・・・・結合部
２５・・・・・・枢着部材
３０・・・・・・布材
３１・・・・・・可動床板
３２、３３・・・シート
３０１・・・・・接着テープ
３０２・・・・・結合部
３２１、３３１・・結合部
３２２、３３２・・ジッパ
３２３、３３３・・接着テープ
【図１】
0003125693.tif 000003
【図２】
0003125693.tif 000004
【図３】
0003125693.tif 000005
【図４】
0003125693.tif 000006
【図５】
0003125693.tif 000007
【図６】
0003125693.tif 000008
【図７】
0003125693.tif 000009